(57)【要約】【課題】イヤホンプラグがイヤホンジャックに装着された状態で、イヤホンプラグにその軸方向に対して、横方向などの力が加わっても、イヤホンジャックが破壊されたり、イヤホンジャックが基板から剥離したりするのを防止することのできる携帯無線機を提供すること。【解決手段】上側に穴１０ｃが形成されたケース１０と、ケース１０内に収納された無線用プリント基板１２と、無線用プリント基板１２上に固定されイヤホンプラグ２１が挿着されるイヤホンジャック１３と、ケース１０内に収納され無線用プリント基板１２が取り付けられたシャーシ１４と、緩衝部材１６とを備える。緩衝部材１６が、ケース１０の穴１０ｃに挿着されるリング状部１６ａを有し、ケース１０の穴１０ｃに緩衝部材１６のリング状部１６ａを挿入した構成を有する。【選択図】図１
2007110383.tif 000002
【特許請求の範囲】
【請求項１】
上側に穴が形成されたケースと、
前記ケース内に収納された無線用プリント基板と、
前記無線用プリント基板上に固定されイヤホンプラグが挿着されるイヤホンジャックと、前記ケース内に収納され前記無線用プリント基板が取り付けられたシャーシと、
緩衝部材とを備え、
前記緩衝部材は、少なくとも前記ケースの穴に挿着されるリング状部を有し、
前記ケースの穴に前記緩衝部材のリング状部を挿入した携帯無線機。
【請求項２】
前記シャーシは、上側枠部を有し、
前記緩衝部材は、前記シャーシとは別体であり、前記ケースの穴に挿着されるリング状部と、前記リング状部に連設されこのリング状部の外径より大きな寸法を有し前記シャーシの上側枠部と前記ケースとの間に挟み込まれる径大部とを有し、
前記ケースの穴に前記緩衝部材のリング状部を挿入するとともに、前記シャーシの上側枠部と前記ケースとの間に前記緩衝部材の径大部を挟み込んだ請求項１記載の携帯無線機。
【請求項３】
前記シャーシは、上側枠部を有し、
前記緩衝部材は、前記シャーシの上側枠部に一体化された請求項１記載の携帯無線機。
【請求項４】
前記シャーシは、前記上側枠部の面上に複数の凹部を有し、
前記緩衝部材の径大部は、複数の足部からなり、
前記複数の凹部に前記複数の足部を配置した請求項２記載の携帯無線機。
【請求項５】
前記緩衝部材のリング状部の上部を覆うパッキングを有し、
前記パッキングは、前記ケースの穴と前記緩衝部材のリング状部との間に設けられ、かつ前記緩衝部材のリング状部の上部を覆った請求項１ないし４のいずれかに記載の携帯無線機。
【発明の詳細な説明】
【技術分野】
【０００１】
本発明は、イヤホンプラグが挿着されるイヤホンジャックを有する携帯無線機に関するものである。
【背景技術】
【０００２】
従来、イヤホンプラグが挿着されるイヤホンジャックを有する電子機器に関しては、特許文献１に示されるものが提案されている。すなわち、特許文献１に示される従来の電子機器においては、図１０に示すように、ケース１内に設けられた基板２上にイヤホンジャック３が半田付けなどにより接合されている。また、イヤホンジャック３には、外側ＧＮＤリング端子４が、ケース１の穴５から外部に露出するように設けられている。ケース１の穴５の周囲には、環状の凸部６が設けられている。一方、イヤホン７は、イヤホンプラグ８と円筒端子９とを有している。
【０００３】
イヤホンプラグ８を外側ＧＮＤリング端子４に挿入することにより、イヤホンプラグ８はイヤホンジャック３に挿着される。
【０００４】
図１１は、イヤホンプラグ８がイヤホンジャック３に装着されている状態を示す部分拡大断面図である。
【０００５】
図１１に示すように、イヤホンジャック３の外側ＧＮＤ端子４が円筒端子９に接触している。また、凸部６がイヤホン７の一部に接触することにより、ケース１とイヤホンプラグ８との隙間からケース１の内部に水や埃が侵入しないようになっている。
【特許文献１】特開２００４−８７１８５号公報（第５頁、図３、図４）
【発明の開示】
【発明が解決しようとする課題】
【０００６】
しかしながら、従来のこのような電子機器においては、イヤホンプラグ８がイヤホンジャック３に装着された状態で、イヤホンプラグ８の軸方向に対して、横方向などの力がイヤホンプラグ８に加わると、その力がイヤホンジャック３に直接伝わる結果、イヤホンジャック３が破壊されたり、半田クラックの発生によりイヤホンジャック３が基板２から剥離したりするおそれがあるという問題があった。
【０００７】
本発明は、このような問題を解決するためになされたものであり、イヤホンプラグがイヤホンジャックに装着された状態で、イヤホンプラグにその軸方向に対して、横方向などの力が加わっても、イヤホンジャックが破壊されたり、イヤホンジャックが基板から剥離したりするのを防止することのできる携帯無線機を提供するものである。
【課題を解決するための手段】
【０００８】
本発明の携帯無線機は、上側に穴が形成されたケースと、前記ケース内に収納された無線用プリント基板と、前記無線用プリント基板上に固定されイヤホンプラグが挿着されるイヤホンジャックと、前記ケース内に収納され前記無線用プリント基板が取り付けられたシャーシと、緩衝部材とを備え、前記緩衝部材が、少なくとも前記ケースの穴に挿着されるリング状部を有し、前記ケースの穴に前記緩衝部材のリング状部を挿入した構成を有している。
【０００９】
この構成により、イヤホンジャックにイヤホンプラグが挿着された状態で、落下などにより、イヤホンプラグに力が加わった場合に、その力がイヤホンジャックだけでなく緩衝
部材のリング状部によってケースにも伝わることとなり、イヤホンジャックに加わる力が軽減される結果、イヤホンジャックの破壊などを防止することができる。
【００１０】
さらに、本発明の携帯無線機は、前記シャーシが上側枠部を有し、前記緩衝部材が、前記シャーシとは別体であり、前記ケースの穴に挿着されるリング状部と、前記リング状部に連設されこのリング状部の外径より大きな寸法を有し前記シャーシの上側枠部と前記ケースとの間に挟み込まれる径大部とを有し、前記ケースの穴に前記緩衝部材のリング状部を挿入するとともに、前記シャーシの上側枠部と前記ケースとの間に前記緩衝部材の径大部を挟み込んだ構成を有している。
【００１１】
この構成により、緩衝部材の径大部がシャーシの上側枠部とケースとの間に挟み込まれるので、イヤホンジャックにイヤホンプラグが装着され、イヤホンプラグの円筒端子がリング状部の内側に接触した状態で、落下などにより、イヤホンプラグに力が加わった場合に、その力を、緩衝部材からシャーシやケースに伝えることができる。
【００１２】
さらに、本発明の携帯無線機は、前記シャーシが上側枠部を有し、前記緩衝部材が、前記シャーシの上側枠部に一体化された構成を有している。
【００１３】
この構成により、イヤホンジャックにイヤホンプラグが装着され、イヤホンプラグの円筒端子がリング状部の内側に装着された状態で、落下などにより、イヤホンプラグに力が加わった場合に、その力をシャーシに伝えることができる。
【００１４】
さらに、本発明の携帯無線機は、前記シャーシが前記上側枠部の面上に複数の凹部を有し、前記緩衝部材の径大部が複数の足部からなり、前記複数の凹部に前記複数の足部を配置した構成を有している。
【００１５】
この構成により、イヤホンジャックにイヤホンプラグが装着され状態で、落下などにより、イヤホンプラグに力が加わり、その力が緩衝部材に伝わった場合に、緩衝部材がシャーシの上側枠部上を滑ることを防止することができる。
【００１６】
さらに、本発明の携帯無線機は、前記パッキングが、前記ケースの穴と前記緩衝部材のリング状部との間に設けられ、かつ前記緩衝部材のリング状部の上部を覆った構成を有している。
【００１７】
この構成により、イヤホンジャックにイヤホンプラグが装着され状態で、ケースに水滴などの付着などがあった場合、ケースの穴とリング状部との隙間から水滴などがケース内部に侵入することを防止することができる。
【発明の効果】
【００１８】
本発明は、イヤホンプラグがイヤホンジャックに装着された状態で、落下などにより、イヤホンプラグにその軸方向に対して、横方向などの力が加わっても、イヤホンジャックの破壊や、基板からのイヤホンジャックの剥離を防止することができる携帯無線機を提供することができるものである。
【発明を実施するための最良の形態】
【００１９】
以下、本発明の実施の形態について、図面を用いて説明する。
【００２０】
図１は本発明の実施の形態における携帯無線機の要部断面図を示す。
【００２１】
図１に示すように、本発明の実施の形態における携帯無線機は、フロントケース１０ａ
とリアケース１０ｂとで構成されたケース１０と、ケース１０内に収納されＩＣ、ＬＳＩなどの部品が実装されているプリント基板１１と、ケース１０内に収納され無線用の部品などがパターン印刷されている無線用プリント基板１２（図３参照）と、無線用プリント基板１２上に半田付けなどにより固定されイヤホン２０のイヤホンプラグ２１が挿着されるイヤホンジャック１３と、ケース１０内に収納され前面側にプリント基板１１が、背面側に無線用プリント基板１２がそれぞれ取り付けられたシャーシ１４と、プリント基板１１に実装された液晶などからなり、文字などが表示される表示部１５と、樹脂製などの緩衝部材１６と、ゴム製のパッキング１７とを有している。
【００２２】
ケース１０のリアケース１０ｂ側には、穴１０ｃが形成されている。
【００２３】
イヤホンジャック１３は、外側ＧＮＤ端子１３ａと胴部１３ｂとを有している（図３参照）。
【００２４】
シャーシ１４は、上側枠部１４ａを有している。
【００２５】
緩衝部材１６は、シャーシ１４とは別体に設けられ、ケース１０の穴１０ｃに挿着されたリング状部１６ａと、リング状部１６ａに連設されこのリング状部の外径より大きな寸法を有しシャーシ１４の上側枠部１４ａとケース１０との間に挟み込まれる径大部１６ｂとを有している。リング状部１６ａの内径は、外側ＧＮＤ端子１３ａの外周面と接触する程度の大きさである。
【００２６】
パッキング１７は、後述するように、緩衝部材１６のリング状部１６ａの上部およびシャーシ１４の上側枠部１４ａの一部の上面を覆っている。また、パッキング１７には、無線用プリント基板１２上に設けられたマイクロスイッチ（図示せず）に連動するキーボタン１７ａが設けられている。
【００２７】
また、イヤホン２０は、イヤホンプラグ２１と同心状に円筒端子２２を有している。
【００２８】
図２は、本発明の実施の形態における携帯無線機の分解斜視図を示す。
【００２９】
なお、図２では、リアケース１０ｂに収納される電池パックおよびその蓋体を省略して示している。
【００３０】
図２において、フロントケース１０ａ、シャーシ１４、無線用プリント基板１２およびリアケース１０ｂは、ねじ１８によって固定され、携帯無線機が組み立てられる。
【００３１】
図４は、本発明の実施の形態における携帯無線機の組み立て状態の斜視図を示す。
【００３２】
図４において、リアケース１０ｂには、電池パック（図示せず）を収納するための蓋体１０ｄが取り付けられている。
【００３３】
次に、シャーシ１４、緩衝部材１６およびパッキング１７などの関係について、図５ないし図７を用いて説明する。
【００３４】
図５に示すように、シャーシ１４の上側枠部１４ａには、複数例えば３つの凹部１４ｂが形成されている。また、シャーシ１４のリアケース１０ｂ側には、相対向する突出部１４ｃとリブ１４ｄとが形成されている。組み立て状態において、イヤホンジャック１３は、胴部１３ｂの裏面の一部がリブ１４ｄに接触し、胴部１３ｂの両側面が突出部１４ｃ間に挟まれる。
【００３５】
緩衝部材１６の径大部１６ｂは、複数例えば４本の足部１６１、１６２、１６３、１６４からなっている。そして、図６に示すように、緩衝部材１６の４本のうちの３本の足部１６１、１６２、１６３は、３つの凹部１４ｂにそれぞれ配置される。図５に示すように、緩衝部材１６の各足部は、面Ｆ１、Ｆ２を有する。組み立て状態において、緩衝部材１６の面Ｆ１は、ケース１０の穴１０ｃの内面に接触し、面Ｆ２は、ケース１０の天面の内面に接触する。
【００３６】
図６に示すように、パッキング１７は、緩衝部材１６のリング状部１６ａの上部を覆い、上面部が山形形状を有する第１部分１７ｂとシャーシ１４の上側枠部１４ａの一部の上面を覆う第２部分１７ｃとを有している。第１部分１７ｂには、足部１７１、１７２、１７３、１７４が形成されている。緩衝部材１６のリング状部１６ａの上部をパッキング１７の第１部分１７ｂで、シャーシ１４の上側枠部１４ａの一部の上面をパッキング１７の第２部分１７ｃでそれぞれ覆う。この時、図７に示すように、パッキング１７の第１部分１７ｂの足部１７１〜１７４は、緩衝部材１６の足部１６１〜１６４間にそれぞれ位置する。すなわち、緩衝部材１６の足部１６１、１６２、１６３、１６４とパッキング１７の足部１７１、１７２、１７３、１７４が交互に位置する。
【００３７】
図８は、本発明の実施の形態における携帯無線機の平面図、図９は、図８のＡ−Ａ線に沿って切断した断面図である。
【００３８】
図９において、パッキンリング１７は、第１部分１７ｂの上部が穴１０ｃと緩衝部材１６との間に挟み込まれ、また下部の一部がリアケース１０ｂとシャーシ１４の上側枠部１０ａとの間に挟み込まれている。
【００３９】
なお、上記実施の形態では、緩衝部材をシャーシと別体に設けた場合を例にあげて説明したが、本発明は緩衝部材をシャーシと一体化させた場合についても実施できるものである。その場合には、緩衝部材の径大部を省略することが可能である。
【００４０】
以上のような構成を有する本発明の実施の形態における携帯無線機においては、イヤホン２０を使用するときは、イヤホンジャック１３にイヤホンプラグ２１を挿入する。そうすると、図１に示すように、イヤホン２０の円筒端子２２は、イヤホンジャック１３の外側ＧＮＤ端子１３ａと緩衝部材１６のリング状部１６ａとの間に挿入されて、外側ＧＮＤ端子１３ａおよびリング状部１６ａの内面にそれぞれ接触する。そして、上面部が山形形状を有する第１部分１７ｂは、イヤホンジャック１３でその頭部が潰されたような状態になる。
【００４１】
このようにイヤホンプラグ２１をイヤホンジャック１３に装着した状態で、落下などにより、イヤホンプラグ２１の軸方向に対して横方向などの力が加わると、その力の一部は、イヤホンプラグ２１を通してイヤホンジャック１３に加わる。しかし、イヤホンジャック１３の円筒端子２２の外面と、緩衝部材１６のリング状部１６ａの内面とが接触しているため、その力の一部はリング状部１６ａを通してケース１０やシャーシ１４にも加わることになる。
【００４２】
このため、イヤホンジャック１３に加わる力を軽減することができるので、イヤホンジャック１３が破壊されたり、半田クラックの発生によりイヤホンジャック１３が無線用プリント基板１２から剥離したりすることを防止することができる。
【００４３】
また、緩衝部材１６の足部１６１〜１６３をシャーシ１４の上側枠部１４ａの凹部１４ｂに配置したので、イヤホンプラグ２１の軸方向に対して横方向などの力が加わり、その
力が緩衝部材１６に伝わった場合に、緩衝部材１６がシャーシ１４の上側枠部１４ａ上を滑ることを防止することができる。
【００４４】
また、緩衝部材１６のリング状部１６ａの面Ｆ１が、ケース１０の穴１０ｃの内面に接触しているので、イヤホンジャック１３の中心と穴１０ｃの中心とが一致しやすく、位置決めがしやすくなる。
【００４５】
また、パッキンリング１７の第１部分１７ａの外面がケース１０の穴１０ｃの内面に接触しているので、水滴などがかかっても、ケース１０内への水滴や埃の侵入を防止することができる。しかも、第１部分１７ｂの上面部が、イヤホンジャック１３で潰されたような状態になるので、ケース１０内への水滴や埃の侵入を一層防止することができる。
【００４６】
また、緩衝部材１６の足部１６１、１６２、１６３、１６４とパッキング１７の足部１７１、１７２、１７３、１７４とが交互に位置することになるため、緩衝部材１６およびパッキンリング１７の足部が、リアケース１０ｂとシャーシ１４との間に挟まれることになり、緩衝部材１６のリング状部１６ａ自体がしっかりと固定されるとともに、パッキンリング１７も抜け出しにくくなる。
【産業上の利用可能性】
【００４７】
以上のように、本発明にかかる携帯無線機は、イヤホンプラグをイヤホンジャックに装着した状態で、落下などにより、イヤホンプラグの軸方向に対して横方向などの力が加わった場合に、その力の一部を、リング状部を通してケースやシャーシに逃がすことができるため、イヤホンジャックが破壊されたり、イヤホンジャックが無線用プリント基板から剥離したりすることを防止することができるという効果を有し、高い信頼性が要求される携帯無線機として有用である。
【図面の簡単な説明】
【００４８】
【図１】本発明の実施の形態における携帯無線機の要部断面図
【図２】本発明の実施の形態における携帯無線機の分解斜視図
【図３】本発明の実施の形態における携帯無線機の無線用プリント基板の斜視図
【図４】本発明の実施の形態における携帯無線機の斜視図
【図５】本発明の実施の形態における携帯無線機のシャーシおよび緩衝部材の分解斜視図
【図６】本発明の実施の形態における携帯無線機の緩衝部材を配置したシャーシにパッキングを取り付ける状態を示す斜視図
【図７】本発明の実施の形態における携帯無線機の緩衝部材の足部とパッキングの足部との位置関係を示す部分斜視図
【図８】本発明の実施の形態における携帯無線機の平面図
【図９】図８のＡ−Ａ線に沿って切断した部分断面図
【図１０】従来の電子機器の部分斜視図
【図１１】従来の電子機器の部分拡大断面図
【符号の説明】
【００４９】
１０    ケース
１０ａ    フロントケース
１０ｂ    リアケース
１０ｃ    ケースの穴
１２    無線用プリント基板
１３    イヤホンジャック
１３ａ    イヤホンジャックの外側ＧＮＤ端子
１３ｂ    イヤホンジャックの胴部
１４    シャーシ
１４ａ    シャーシの上側枠部
１４ｂ    シャーシの上側枠部の凹部
１６    緩衝部材
１６ａ    緩衝部材のリング状部
１６ｂ    緩衝部材の径大部
１７    パッキング
２１    イヤホンプラグ
１６１，１６２，１６３，１６４    緩衝部材の足部
【図１】
2007110383.tif 000003
【図２】
2007110383.tif 000004
【図３】
2007110383.tif 000005
【図４】
2007110383.tif 000006
【図５】
2007110383.tif 000007
【図６】
2007110383.tif 000008
【図７】
2007110383.tif 000009
【図８】
2007110383.tif 000010
【図９】
2007110383.tif 000011
【図１０】
2007110383.tif 000012
【図１１】
2007110383.tif 000013